【手続補正書】
【提出日】平成18年7月11日(2006.7.11)
【手続補正１】
【補正対象書類名】明細書
【補正対象項目名】特許請求の範囲
【補正方法】変更
【補正の内容】
【特許請求の範囲】
【請求項１】  Ｎ≧２として、２個のＮ×Ｎ型ＭＭＩ導波路（１０、２０）と、２（Ｎ−１）個のレーザ（１、２）と、Ｎ個のマッハツェンダ導波路（３１、３２、３３、３４、３５）とを有する波長選択送信機であって、第１のＮ×Ｎ型ＭＭＩ導波路（１０）の第１側にＮ−１個のレーザ（１）と１個のフリーアクセス導波路（１５）を接続し、第２側にＮ個の互いに長さの異なるマッハツェンダ導波路（３１、３２、３３、３４、３５）を接続し、第１のＭＭＩ導波路（１０）の第１側における最終ポート（ａ１５）にフリーアクセス導波路（１５）を接続し、第２のＮ×Ｎ型ＭＭＩ導波路（２０）の第２側に前記Ｎ個のマッハツェンダ導波路（３１、３２、３３、３４、３５）を接続し、第１側にＮ−１個のレーザ（２）と１個のフリーアクセス導波路（２１）を接続し、第２のＭＭＩ導波路（２０）の第１側における第１ポート（ａ２１）にフリーアクセス導波路（２１）を接続し、第１のＭＭＩ導波路（１０）の第２側における第１〜最終ポート（ｂ１１、ｂ１２、ｂ１３、ｂ１４、ｂ１５）と第２のＭＭＩ導波路（２０）の第２側における最終〜第１ポート（ｂ２５、ｂ２４、ｂ２３、ｂ２２、ｂ２１）との間に第１〜最終マッハツェンダ導波路（３１、３２、３３、３４、３５）を配置した前記波長選択送信機。
【請求項２】  少なくとも１個のマッハツェンダ導波路（３１、３２、３３、３４、３５）が少なくとも１個のトリミング部（４１、４２、４３、４４）を含むことを特徴とする請求項１記載の波長選択送信機。
【請求項３】  第１のＮ×Ｎ型ＭＭＩ導波路（１０）に接続されたＮ−１個のレーザ（１）がすべて、第２のＮ×Ｎ型ＭＭＩ導波路（２０）に接続された別のＮ−１個のレーザ（２）から発振される波長と同一波長の互いに異なる光波長で発振することを特徴とする請求項２記載の波長選択送信機。
【請求項４】  第１、第２のＭＭＩ導波路に設けられたフリーアクセス導波路（１５、２１）に外部変調器（５０、６０）を接続したことを特徴とする請求項３記載の波長選択送信機。
【請求項５】  外部変調器（５０、６０）に光増幅器を含むことを特徴とする請求項４記載の波長選択送信機。
【請求項６】  Ｎ≧２として、２個のＮ×Ｎ型ＭＭＩ導波路（１０、２０）と、２個のアクセス導波路または入力波長チャンネル（１５、２１）と、２（Ｎ−１）個の出力波長チャンネル用アクセス導波路（１１、１２、１３、１４）と、Ｎ個の互いに長さの異なるマッハツェンダ導波路（３１、３２、３３、３４および３５）とを有する波長分割多重（ＷＤＭ）受信機であって、第１のＮ×Ｎ型ＭＭＩ導波路（１０）の第１側における最終ポート（ａ１５）に入力波長チャンネル用アクセス導波路（１５）を接続し、第１側に少なくとも１つの波長チャンネルで送信する手段と、Ｎ−１個の出力波長チャンネル用アクセス導波路（１１、１２、１３、１４）とを設け、第２側に前記Ｎ個のマッハツェンダ導波路（３１、３２、３３、３４、３５）を接続し、第２のＮ×Ｎ型ＭＭＩ導波路（２０）の第２側には、前記Ｎ個のマッハツェンダ導波路３１、３２、３３、３４、３５）を接続し、第１側における第１ポート（ａ２１）には入力波長チャンネル用アクセス導波路（２１）を接続し、前記第１側の残余ポートには、少なくとも１つの波長チャンネルで送信する手段と、Ｎ−１個の出力波長チャンネル用アクセス導波路（２２、２３、２４、２５）を設け、第１のＭＭＩ導波路（１０）の第２側における第１〜最終ポート（ｂ１１、ｂ１２、ｂ１３、ｂ１４、ｂ１５）と第２のＭＭＩ導波路（２０）の第２側における最終〜第１ポート（ｂ２５、ｂ２４、ｂ２３、ｂ２２、ｂ２１）との間に、第１〜最終マッハツェンダ導波路（３１、３２、３３、３４、３５）を配置した前記波長分割多重（ＷＤＭ）受信機。
【請求項７】  少なくとも１個のマッハツェンダ導波路（３１、３２、３３、３４、３５）が少なくとも１個のトリミング部（４１、４２、４３、４４）を含むことを特徴とする請求項６記載のＷＤＭ受信機。
【請求項８】  少なくとも１個のレーザに接続されるマルチプレクサを送信手段に含むことを特徴とする請求項７記載のＷＤＭ受信機。
【請求項９】  第２のＭＭＩ導波路（２０）で受信する以外の波長チャンネルを第１のＭＭＩ導波路（１０）で受信することを特徴とする請求項８記載のＷＤＭ受信機。
【請求項１０】  前記第２ＭＭＩ導波路（２０）で受信する少なくとも１つの前記波長チャンネルと同じ波長チャンネルである少なくとも１つの波長チャンネルを第１のＭＭＩ導波路（１０）で受信することを特徴とする請求項９記載のＷＤＭ受信機。
【請求項１１】  Ｎ−１個の出力波長チャンネル用アクセス導波路（１１、１２、１３、１４、２２、２３、２４、２５）のそれぞれに外部変調器（５０、６０）を接続したことを特徴とする請求項９または１０記載のＷＤＭ受信機。
【請求項１２】  外部変調器（５０、６０）に光増幅器を含むことを特徴とする請求項１１記載のＷＤＭ受信機。
【請求項１３】  波長選択またはＷＤＭ送信の方法であって、
Ｎ≧２、１≦ｑ≦Ｎ−１として、第１のＮ×Ｎ型ＭＭＩ導波路の第１側におけるＮ−１個の入力波長チャンネル用アクセス導波路のうちｑ個へＮ−１個の波長チャンネルのうちｑ個を送信し、
Ｎ≧２、１≦ｑ≦Ｎ−１として、第２のＮ×Ｎ型ＭＭＩ導波路の第１側におけるＮ−１個の入力波長チャンネル用アクセス導波路のうちｑ個へＮ−１個の波長チャンネルのうちｑ個を送信し、
前記第１、第２のＮ×Ｎ型ＭＭＩ導波路を介して前記波長チャンネルを送信し、
前記波長チャンネルを励起して、第１、第２のＮ×Ｎ型ＭＭＩ導波路の第２側におけるＮ個の互いに長さの異なるマッハツェンダ導波路へ送り込み、
前記波長チャンネルを励起して、第１、第２のＮ×Ｎ型ＭＭＩ導波路の第２側へ送り込み、
第１、第２のＮ×Ｎ型ＭＭＩ導波路を介して前記波長チャンネルを送信し、そして、前記波長チャンネルを励起して、第１のＮ×Ｎ型ＭＭＩ導波路の第２側における出力波長チャンネル用第１アクセス導波路上と、第２のＮ×Ｎ型ＭＭＩ導波路の第２側における出力波長チャンネル用第２アクセス導波路上とへ送り出すことを特徴とする前記方法。
【請求項１４】  少なくとも１個のマッハツェンダ導波路に構成された少なくとも１個のトリミング部を用いて波長チャンネルの位相を変えることを特徴とする請求項１３記載の方法。
【請求項１５】  ＷＤＭ受信方法であって、
Ｎ≧２として、第１のＮ×Ｎ型ＭＭＩ導波路の第１側における入力波長チャンネル用アクセス導波路へＮ−１個の波長チャンネルを送信し、
Ｎ≧２として、第２のＮ×Ｎ型ＭＭＩ導波路の第１側における入力波長チャンネル用アクセス導波路へＮ−１個の波長チャンネルを送信し、
前記第１、第２のＮ×Ｎ型ＭＭＩ導波路を介して前記波長チャンネルを送信し、
前記波長チャンネルを励起して、第１、第２のＮ×Ｎ型ＭＭＩ導波路の第２側におけるＮ個の互いに長さの異なるマッハツェンダ導波路へ送り込み、
前記波長チャンネルを励起して、第１、第２のＮ×Ｎ型ＭＭＩ導波路の第２側へ送り込み、
第１、第２のＮ×Ｎ型ＭＭＩ導波路を介して前記波長チャンネルを送信した後、前記波長チャンネルを励起して、第１のＮ×Ｎ型ＭＭＩ導波路の第２側におけるＮ−１個の出力波長チャンネル用アクセス導波路上と、第２のＮ×Ｎ型ＭＭＩ導波路の第２側におけるＮ−１個の出力波長チャンネル用アクセス導波路上へ送り出すことを特徴とする前記方法。
【請求項１６】  少なくとも１個のマッハツェンダ導波路に構成された少なくとも１個のトリミング部を用いて波長チャンネルの位相を変えることを特徴とする請求項１５記載の方法。